(57)【特許請求の範囲】
【請求項１】
コンテナを搭載可能なトレーラ（Ｔ）と、内部に居住スペース（Ｃ）を有して前記トレーラ（Ｔ）上に搭載された小屋状のミニハウス（Ｈ）とよりなり、前記トレーラ（Ｔ）には、コンテナ下部に固定の隅金具に係脱可能な上向きのロック部材（２２）が、所定のロック位置（２２Ｌ）とアンロック位置（２２ＵＬ）との間を回動操作可能に設けられるトレーラハウスであって、
前記ミニハウス（Ｈ）の下部の四隅には、水平な平板状に形成されて前記トレーラ（Ｔ）上に載置可能な４個の隅プレート（Ｐ）がそれぞれ配置され、
各々の前記隅プレート（Ｐ）は、前記ミニハウス（Ｈ）の下部に固着される少なくとも１つの固定板部（Ｐｋ１，Ｐｋ２）と、前記ロック部材（２２）の先部（２２ａ）が抜差可能なロック孔（Ｐｓｈ）を有して前記固定板部（Ｐｋ１，Ｐｋ２）に連設される受け板部（Ｐｓ）とを一体に備え、
前記ミニハウス（Ｈ）の下部四隅を構成する下枠（１１）の、前記受け板部（Ｐｓ）に接する底面を切り欠くことで、該底面には、前記ロック孔（Ｐｓｈ）に差し込まれた前記ロック部材（２２）の先部（２２ａ）の少なくとも一部を受容可能であり且つ外側方が全面開放された空間（１８）を前記受け板部（Ｐｓ）との間に画成する下向き凹部（１１ｏ）が形成されることを特徴とするトレーラハウス。
【請求項２】
前記４個の隅プレート（Ｐ）は互いに同一形状に形成され、且つ該形状は、これの表裏を変更するか、或いは前後又は左右を変更することで、該ミニハウス（Ｈ）の四隅の何れの底面にも適合、固着可能な形態に切換え可能であることを特徴とする、請求項１に記載のトレーラハウス。
【請求項３】
各々の前記隅プレート（Ｐ）は、前記ミニハウス（Ｈ）の底面の左右何れかの側縁部に重合、固着される第１固定板部（Ｐｋ１）と、同ミニハウス（Ｈ）の底面の前後何れかの側縁部に重合、固着される第２固定板部（Ｐｋ２）とを備えていて、それら第１，第２固定板部（Ｐｋ１，Ｐｋ２）の先端部相互が前記受け板部（Ｐｓ）を介して一体に接続されることを特徴とする、請求項１又は２に記載のことを特徴とするトレーラハウス。
【請求項４】
前記ロック部材（２２）の先部（２２ａ）は、該ロック部材（２２）が前記ロック位置（２２Ｌ）にあるときに前記受け板部（Ｐｓ）の前記ロック孔（Ｐｓｈ）周縁部に係合可能な横向きの係止爪部（２２ａｔ）を一体に有しており、
前記受け板部（Ｐｓ）の前記ロック孔（Ｐｓｈ）周縁部には、該受け板部（Ｐｓ）の表裏何れにも、前記係止爪部（２２ａｔ）との間の係合クリアランスを詰めるための支持板（３０）が固設されることを特徴とする、請求項１〜３の何れか１項に記載のトレーラハウス。
【請求項５】
前記ロック孔（Ｐｓｈ）は長孔に形成され、前記支持板（３０）は、前記ロック孔（Ｐｓｈ）の長手方向に延びる帯板状に形成されていて、前記受け板部（Ｐｓ）の前記ロック孔（Ｐｓｈ）周縁部のうち前記長手方向に沿う部位に配置されることを特徴とする、請求項４に記載のトレーラハウス。
【発明の詳細な説明】
【技術分野】
【０００１】
本発明は、コンテナを搭載可能なトレーラと、そのトレーラ上に搭載された小屋状のミニハウスとよりなるトレーラハウスに関する。
【背景技術】
【０００２】
上記トレーラハウスに用いられるミニハウスは、内部に居住スペースを有していて簡易ホテル、仮設住居等として広く利用できる。一方、上記トレーラとしては、コンテナの運搬に広く使用されるトレーラが利用される。この場合、トレーラには、コンテナの下部四隅に固定の隅金具に係脱可能な上向きのロック部材（一般的にツイストロックと呼ばれ、その構造は従来周知）が所定のロック位置とアンロック位置との間を鉛直軸線回りに回動操作可能に設けられる。ここで、ロック部材は、ロック位置で隅金具に離脱不能に係止され、またアンロック位置では隅金具に離脱できるよう引き抜き可能となっている。
（例えば特許文献１を参照）。
【先行技術文献】
【特許文献】
【０００３】
【特許文献１】特許第６６６４８０２号公報
【発明の概要】
【発明が解決しようとする課題】
【０００４】
しかしながら従来のトレーラハウスでは、上記ミニハウスをトレーラシャーシに固定するために、コンテナの下部四隅に固設されてトレーラ側の上記ロック部材に係脱可能な規格物の隅金具を、そのままミニハウスの下部四隅に固定、使用していた（図９参照）。
【０００５】
ところがこの規格物の隅金具は、コンテナの下部四隅（即ち前後左右）の各固定部位に応じて構造が異なり、即ちその前後左右の各固定部位にそれぞれ専用の隅金具構造となっていた。そのため、次のような問題がある。即ち、
［１］隅金具をミニハウスの下部四隅に固定する際に、その各固定部位に対応した専用の隅金具を固定する必要があることから、組付作業が煩雑になり誤組も生じ易い。
［２］上記規格物の隅金具は、頑丈な直方体状の中空ブロック構造であって比較的嵩高であるため、これをミニハウスの下部四隅に設置するに当たり、隅金具を逃げる大きな切欠き状凹部をミニハウスの下部底面に凹設する必要があって、それだけミニハウスの下部の強度低下を来たす虞れがある。
【０００６】
本発明は、斯かる事情に鑑みてなされたもので、簡単な構造で従来の上記問題を解決可能としたトレーラハウスを提供することを目的とする。
【課題を解決するための手段】
【０００７】
上記目的を達成するために、本発明は、コンテナを搭載可能なトレーラと、内部に居住スペースを有して前記トレーラ上に搭載された小屋状のミニハウスとよりなり、前記トレーラには、コンテナ下部に固定の隅金具に係脱可能な上向きのロック部材が、所定のロック位置とアンロック位置との間を回動操作可能に設けられるトレーラハウスであって、前記ミニハウスの下部の四隅には、水平な平板状に形成されて前記トレーラ上に載置可能な４個の隅プレートがそれぞれ配置され、各々の前記隅プレートは、前記ミニハウスの下部に固着される少なくとも１つの固定板部と、前記ロック部材の先部が抜差可能なロック孔を有して前記固定板部に連設される受け板部とを一体に備え、前記ミニハウスの下部四隅を構成する下枠の、前記受け板部に接する底面を切り欠くことで、該底面には、前記ロック孔に差し込まれた前記ロック部材の先部の少なくとも一部を受容可能であり且つ外側方が全面開放された空間を前記受け板部との間に画成する下向き凹部が形成されることを第１の特徴としている。
【０００８】
また本発明は、第１の特徴に加えて、前記４個の隅プレートは互いに同一形状に形成され、且つ該形状は、これの表裏を変更するか、或いは前後又は左右を変更することで、該ミニハウスの四隅の何れの底面にも適合、固着可能な形態に切換え可能であることをことを第２の特徴としている。
【０００９】
また本発明は、第１又は第２の特徴に加えて、各々の前記隅プレートは、前記ミニハウスの底面の左右何れかの側縁部に重合、固着される第１固定板部と、同ミニハウスの底面の前後何れかの側縁部に重合、固着される第２固定板部とを備えていて、それら第１，第２固定板部の先端部相互が前記受け板部を介して一体に接続されることを第３の特徴としている。
【００１０】
また本発明は、第１〜第３の何れかの特徴に加えて、前記ロック部材の先部は、該ロック部材が前記ロック位置にあるときに前記受け板部の前記ロック孔周縁部に係合可能な横向きの係止爪部を一体に有しており、前記受け板部の前記ロック孔周縁部には、該受け板部の表裏何れにも、前記係止爪部との間の係合クリアランスを詰めるための支持板が固着されることを第４の特徴としている。
【００１１】
本発明は、第４の特徴に加えて、前記ロック孔が長孔に形成され、前記支持板は、前記ロック孔の長手方向に延びる帯板状に形成されていて、前記受け板部の前記ロック孔周縁部のうち前記長手方向に沿う部位に配置されることを第５の特徴とする。
【発明の効果】
【００１２】
本発明の第１の特徴によれば、ミニハウスの下部の四隅には、水平な平板状に形成されてトレーラ上に載置可能な４個の隅プレートがそれぞれ配置され、各々の隅プレートは、ミニハウスの下部に固着される少なくとも１つの固定板部と、ロック部材の先部が抜差可能なロック孔を有して固定板部に連設される受け板部とを一体に備え、ミニハウスの下部四隅を構成する下枠の、前記受け板部に接する底面を切り欠くことで、該底面には、ロック孔に差し込まれたロック部材の先部の少なくとも一部を受容可能であり且つ外側方が全面開放された空間を受け板部との間に画成する下向き凹部が形成されるので、隅プレートは、コンテナの下部四隅に配備される規格物の隅金具に比べ上下に扁平であって、これを設置するためにミニハウスの下部底面を大きく切欠く必要はなくなり、それだけミニハウス下部の強度低下を抑制可能となる。
【００１３】
また第２の特徴によれば、４個の隅プレートは互いに同一形状に形成され、且つ該形状は、これの表裏を変更するか、或いは前後又は左右を変更することで、ミニハウスの四隅の何れの底面にも適合、固着可能な形態に切換え可能であるので、同一形状の隅プレートを、これの取付姿勢を適宜選定することでミニハウス下部四隅に共通に組付け可能となる。これにより、隅プレートは、汎用性が高められてコスト節減に大いに寄与し得るばかりか、部品管理も頗る容易となり、また誤組防止にも有効となって、ミニハウスへの組付け作業性が良好となる。
【００１４】
また第３の特徴によれば、各々の隅プレートは、ミニハウスの底面の左右何れかの側縁部に重合、固着される第１固定板部と、同ミニハウスの底面の前後何れかの側縁部に重合、固着される第２固定板部とを備えていて、それら第１，第２固定板部の先端部相互が受け板部を介して一体に接続される。これにより、各隅プレートは、単一板状であっても、ミニハウスの下部底面の互いに離れた位置に第１，第２固定板部がそれぞれ重合、固着されて、隅プレートに対する支持スパン、延いては支持剛性を十分に確保可能となり、しかもその第１，第２固定板部が受け板部を２方向より強固に支持可能となるため、その受け板部にロック部材先部を係止させた状態では、ロック部材（従ってトレーラ）と隅プレート（従ってミニハウス）との結合強度が効果的に高められる。
【００１５】
また第４の特徴によれば、ロック部材の先部は、ロック部材がロック位置にあるときに受け板部のロック孔周縁部に係合可能な横向きの係止爪部を一体に有し、受け板部のロック孔周縁部には、受け板部の表裏何れにも、係止爪部との間の係合クリアランスを詰めるための支持板が固着されるので、その係止爪部（ロック部材先部）と受け板部（隅プレート）との係合クリアランスを支持板で縮小でき、その係合ガタを低減してミニハウスのトレーラへの結合強度をより高めることができる。しかも斯かる支持板による係合クリアランスの縮小効果は、ミニハウスに隅プレートの表裏を変更して取付けた場合でも有効に発揮可能となる。
【００１６】
また第５の特徴によれば、前記ロック孔が長孔に形成されるので、ロック部材の先部が横長に形成されても、これがロック孔を無理なく通過させることができる。また、支持板は、ロック孔の長手方向に延びる帯板状に形成されていて、受け板部のロック孔周縁部のうち前記長手方向に沿う部位に配置されるので、ロック孔が長孔に形成されても、そのロック孔の長手方向に延びる帯板状に形成した支持板により、受け板部のロック孔周縁部のうち前記長手方向に沿う部位を効果的に補強できる。従って、支持板が上記係合ガタの低減手段と、受け板部のロック孔周縁部に対する補強手段に兼用できるから、それだけ構造簡素化に寄与することができる。
【図面の簡単な説明】
【００１７】
【図１】本発明に係るトレーラハウスの一実施形態を示す全体平面図
【図２】前記トレーラハウスの側面図（図１の２矢視図）
【図３】前記トレーラハウスにおけるトレーラの拡大平面図（図２の３−３線断面図）
【図４】前記トレーラハウスにおけるミニハウスの拡大底面図（図２の４−４線断面図）と部分拡大図
【図５】前記ミニハウスの拡大横断面図（図２の５−５線断面図）
【図６】前記トレーラハウスの右後コーナ部の要部拡大縦断面図（図４の６−６線断面図）
【図７】図６の７−７線断面図とロック装置の要部平面図
【図８】ミニハウス底部四隅における隅プレートの平面配列形態を示す平面図
【図９】従来例を示す図６対応断面図
【発明を実施するための形態】
【００１８】
本発明の一実施形態を、添付図面に示す本発明の好適な実施例に基づいて以下に説明する。
【００１９】
先ず、図１〜図５を参照して、トレーラハウスＴＨの概要を説明する。トレーラハウスＴＨは、規定サイズに製作された従来周知のコンテナ（不図示）を搭載可能なトレーラＴと、トレーラＴ上に着脱可能に搭載される小屋状のミニハウスＨとより構成され、任意の設置場所まで自動車９により牽引走行されて設置される。
【００２０】
ミニハウスＨは、コンテナに外形、サイズが同一又は近似したボックス状に形成され、その内部には居住スペースＣが画成される。その居住スペースＣには、ベッド、ユニット式のバストイレ、台所等の簡易な住居設備が設けられる。更にミニハウスＨの外側壁には、出入口の開閉ドアＤ、エアコン室外機等を置いたベランダＢ、窓Ｗ等が配備される。
【００２１】
また図６，図７を併せて参照して、ミニハウスＨの躯体は、縦横の棒材を矩形状に枠組みしてなる下枠１１を有し、この下枠１１上には、複数に積層された床板よりなる床板積層体１２が固定、支持され、その床板積層体１２上に居住スペースＣの四方を取り囲む側壁板１３が起立、固定される。更にその側壁板１３の上端部には屋根１４が被覆、固定され、また側壁板１３の外側面には、その外側面を覆う耐候性の外板１５がスペーサ１６を介して接合される。
【００２２】
最下端のスペーサ１６には、外板１５の足元部分の空間を全周に亘り体裁よく覆うカバー１７が必要に応じて固着される。このカバー１７は、ミニハウスＨ下部に対する雨除けカバーを兼ね、後述するロック装置Ｌも被覆可能である。
【００２３】
尚、ミニハウスＨの躯体各部の構成材料は、各々の機能用途に則して適宜選定可能であり、例えば、実施形態の下枠１１、床板積層体１２、側壁板１３等は木材により構成され、屋根１４、外板１５、カバー１７等は金属板より構成されるが、材料選定は、実施形態に限定されない。
【００２４】
一方、トレーラＴは、平面視で矩形状に枠組みされた金属製のトレーラシャーシＴｓと、トレーラシャーシＴｓの前後中央部に軸支された少なくとも前後一対の左右車輪１０とを備える。トレーラシャーシＴｓの前端部には、トレーラＴを牽引可能な自動車９の後端ヒッチ部９ｈに対し着脱可能に且つ旋回揺動可能に連結されるトレーラヒッチ部Ｔｈが設けられる。
【００２５】
更にトレーラシャーシＴｓには、トレーラＴの駐車状態で、周方向に間隔をおいて複数のジャッキＪが連結固定され、これらジャッキＪにより、トレーラＴを任意の地面に安定よく固定、支持可能である。尚、各ジャッキＪは、トレーラＴが牽引走行される際には走行の支障がないようにトレーラシャーシＴｓより取り外される。
【００２６】
トレーラシャーシＴｓ上にミニハウスＨを着脱可能に結合するために、実施形態ではツイストロックと呼ばれる従来周知のロック装置Ｌが用いられ、それは、トレーラシャーシＴｓの前後左右の四隅にそれぞれ設けたトレーラ側ロック要素Ｌｔと、ミニハウスＨの前後左右の四隅下面にそれぞれ設けたハウス側ロック要素Ｌｈとで構成される。
【００２７】
図６，図７で明らかなように、トレーラ側ロック要素Ｌｔは、トレーラシャーシＴｓの四隅に固着（例えばボルト止め、溶接等）されるロックケース２１と、ロックケース２１に鉛直軸線回りに回動可能に支持され且つ先部２２ａがロックケース２１より上方に突出するロック部材２２と、ロック部材２２と一体に回動するようロック部材２２の基部に固定される横向きの操作レバー２３とを備える。
【００２８】
ロックケース２１の上部には、後述する隅プレートＰのロック孔Ｐｓｈに弛く嵌合可能な上向きの膨出部２１ｃが一体に隆起形成され、その膨出部２１ｃの内周に軸受ブッシュ２４を介してロック部材２２の中間軸部２２ｍが回動可能に嵌合、支持される。膨出部２１ｃの周囲を取り囲むロックケース２１の平坦な上面は、ミニハウスＨの下部（より具体的には隅プレートＰ）を載置、支持し得る支持面２１ｆを構成する。
【００２９】
またロック部材２２の先部２２ａは、側面視で山形状、即ち上端（先端）から下方に向かうにつれて末広がり状（即ち上記中間軸部２２ｍよりも幅広）に形成される。そして、この先部２２ａの、中間軸部２２ｍ外周より横向きに張出す部分は、ロック部材２２の係止爪部２２ａｔを構成し、その係止爪部２２ａｔは、ロック部材２２がロック位置２２Ｌ（図６，７実線位置）にあるときに隅プレートＰのロック孔Ｐｓｈ周縁部に係合可能となっていて、その係合により、隅プレートＰ（従ってミニハウスＨ）をトレーラシャーシＴｓに分離不能に固定する。
【００３０】
また、ロック部材２２を上記ロック位置２２Ｌからアンロック位置２２ＵＬ（図６，７鎖線位置）まで回動操作すれば、係止爪部２２ａｔと隅プレートＰのロック孔Ｐｓｈ周縁部との前記係合が外れる。これにより、隅プレートＰをロック部材２２の先部２２ａより上方に引き抜き可能となる。
【００３１】
而して、操作レバー２３を回動操作することで、ロック部材２２をロック位置２２Ｌとアンロック位置２２ＵＬとの間で回動させることが可能である。しかもロック部材２２は、これの基部とロックケース２１との間に介設されて、その間に摩擦結合し得る摩擦連結機構、或いは節度機構（例えばクリックストップ機構等）により、ロック部材２２をロック位置２２Ｌ及びアンロック位置２２ＵＬに選択的に保持可能である。
【００３２】
次にハウス側ロック要素Ｌｈの一例を説明すると、それは、上記したトレーラ側ロック要素Ｌｔに対応してミニハウスＨの下部の四隅に配置される４個の隅プレートＰを主要部とする。各々の隅プレートＰは、水平な平板状に形成されてトレーラＴ上（より具体的にはロックケース２１の支持面２１ｆ）に載置可能である。
【００３３】
各々の隅プレートＰは、ミニハウスＨの下枠１１に固着される少なくとも１つの固定板部Ｐｋ１，Ｐｋ２と、前記したロック部材２２の先部２２ａが抜差可能なロック孔Ｐｓｈを有して固定板部Ｐｋ１，Ｐｋ２に連設される受け板部Ｐｓとを一体に備えており、受け板部Ｐｓは、これを上下に貫通し且つ前後方向に長い長孔に形成されるロック孔Ｐｓｈを有する。
【００３４】
特に実施形態の隅プレートＰは、ミニハウスＨの底面の左右何れかの側縁部に重合、固着される比較的長い第１固定板部Ｐｋ１と、第１固定板部Ｐｋ１に対し直交するように延びてミニハウスＨの底面の前後何れかの側縁部に重合、固着される比較的短い第２固定板部Ｐｋ２とを備えていて、それら第１，第２固定板部Ｐｋ１，Ｐｋ２の先端部相互が受け板部Ｐｓを介して一体に接続される。第１，第２固定板部Ｐｋ１，Ｐｋ２は、これを下枠１１に固定するためのボルト４１及び釘４２の挿通孔３１，３２を各々有する。
【００３５】
ミニハウスＨの下部四隅を構成する下枠１１の、受け板部Ｐｓに接する底面を切り欠くことで、該底面には、受け板部Ｐｓとの間に外側方が全面開放された空間１８を画成する下向き凹部１１ｏが形成される。その空間１８は、ロック孔Ｐｓｈに膨出部２１ｃと共に差し込まれたロック部材２２の先部２２ａの少なくとも一部（実施形態では主要部）を受容可能な最小限のサイズに画成される。
【００３６】
また図８で明らかなように、４個の隅プレートＰは互いに同一形状に形成され、且つ当該形状は、これの表裏を変更するか、或いは前後又は左右を変更することで、ミニハウスＨの四隅の何れの底面にも適合、固着可能な使用形態に選択的に切換え可能である。
【００３７】
しかも各々の隅プレートＰにおいて受け板部Ｐｓのロック孔Ｐｓｈ周縁部には、受け板部Ｐｓの表裏何れにも、ロック部材２２がロック位置２２Ｌにあるときに係止爪部２２ａｔとの間の係合クリアランスを詰めるための支持板３０が固着（例えば溶接）される。各支持板３０は、ロック孔Ｐｓｈの長手方向（即ちトレーラＴの前後方向）に長い帯板状に形成されていて、ロック孔Ｐｓｈの左右両側において、同孔Ｐｓｈの長手方向に沿う周縁部に沿って配置される。
【００３８】
而して、支持板３０と係止爪部２２ａｔ間の上記係合クリアランスの調整は、受け板部Ｐｓに板厚の異なる支持板３０を選択的に接合することで、容易に行うことができる。この場合、係合クリアランスは、ゼロ又はそれに近い僅少に設定してもよいし、或いは支持板３０と係止爪部２２ａｔ間に多少のクリアランス（遊び）が形成されるように設定してもよい。
【００３９】
次に前記実施形態の作用を説明する。
【００４０】
ミニハウスＨは、例えば製作工場で、予め組立てられた躯体に必要な設備を据え付けることで製造される。この場合、ミニハウスＨの下部、即ち下枠１１の四隅には、水平な平板状に形成される４個の隅プレートＰがボルト４１・ナット４３及び釘４２により各々固定される。また、ミニハウスＨの下部四隅を構成する下枠１１の底面には、該底面の前記受け板部Ｐｓに接する部分を切り欠くことで下向き凹部１１ｏが形成され、前記隅プレートＰの固定により、隅プレートＰの受け板部Ｐｓと、下枠１１の下面の凹部１１ｏとの間には、ロック部材２２の先部２２ａを受容可能であり且つ外側方が全面開放された空間１８が画成される。
【００４１】
組立後のミニハウスＨをトレーラＴ上に搭載する際には、クレーン等でミニハウスＨを吊り上げてトレーラＴ上に降ろす。その際には、ロック装置Ｌのトレーラ側ロック要素Ｌｔとハウス側ロック要素Ｔｈとを位置合わせし（具体的にはアンロック位置２２ＵＬのロック部材２２の先部２２ａを隅プレートＰのロック孔Ｐｓｈを通して隅プレートＰの上方に突出させると共に、ロックケース２１の上方膨出部２１ｃをロック孔Ｐｓｈに嵌合させ）つつ、ロックケース２１ｃの上面（即ち支持面２１ｆ）上に、隅プレートＰの下面（即ち下側の支持板３０）を載置、支持する。
【００４２】
しかる後、ロック装置Ｌの操作レバー２３を回動操作してロック部材２２をロック位置２２Ｌまで回動させて、ロック部材先部２２ａの係止爪部２２ａｔを隅プレートＰ上面のロック孔Ｐｓｈ周縁部に支持板３０を介して係合させる。その係合により隅プレートＰ、延いてはミニハウスＨの下部がトレーラＴ上にロックされ、ミニハウスＨがトレーラＴより妄りに分離しないようになっている。
【００４３】
かくして、トレーラＴ及びミニハウスＨの結合体であるトレーラハウスＴＨの組立てが完了するので、これを自動車９で任意の設置場所まで牽引走行する。その牽引走行により設置場所に到着すると、トレーラハウスＴＨは、自動車９との連結が切り離されると共に、複数のジャッキＪを介して設置場所に安定よく固定される。その状態で、トレーラＴ上のミニハウスＨは、簡易の宿泊施設、仮設住宅等として有効活用可能となる。
【００４４】
上記したトレーラハウスＴＨにおいて、隅プレートＰは、一般的なコンテナの下部四隅に配備される規格物の隅金具（図９参照）に比べ上下に扁平であることから、これをミニハウスＨに取付けるに当たってミニハウスＨの下部（より具体的には下枠１１）の底面を大きく切欠く必要はなくなり、それだけミニハウスＨの下部の強度低下を抑制することができる。
【００４５】
また実施形態の各々の隅プレートＰは、ミニハウスＨの下部底面の左右何れかの側縁部に重合、固着される第１固定板部Ｐｋ１と、同ミニハウスＨの下部底面の前後何れかの側縁部に重合、固着される第２固定板部Ｐｋ２０とを備えていて、それら第１，第２固定板部Ｐｋ１，Ｐｋ２の先端部相互が受け板部Ｐｓを介して一体に接続される。これにより、隅プレートＰは、これが単一板状であっても、ミニハウスＨの下部底面の左右側縁部と前後側縁部とに第１，第２固定板部Ｐｋ１，Ｐｋ２がそれぞれ重合、固着されることで、隅プレートＰに対する支持スパン、延いては支持剛性を十分に確保可能となる。しかもその第１，第２固定板部Ｐｋ１，Ｐｋ２が受け板部Ｐｓを２方向より強固に支持可能となるため、その受け板部Ｐｓにロック部材２２先部を係止させた状態では、ロック部材２２（従ってトレーラＴ）と隅プレートＰ（従ってミニハウスＨ）との結合強度が効果的に高められる。
【００４６】
また特に実施形態では、図８でも明らかなように、ミニハウスＨの下部四隅に配備される４個の隅プレートＰが、互いに同一形状に形成され、且つ該形状は、これの表裏を変更するか、或いは前後又は左右を変更することで、ミニハウスＨの四隅の何れの底面にも適合、固着可能な使用形態に選択的に切換え可能である。それにより、同一形状の隅プレートＰを、これの取付姿勢を適宜選定することでミニハウスＨの下部四隅に共通に組付け可能となるため、隅プレートＰの汎用性が高められ、コスト節減に大いに寄与し得るばかりか、部品管理も頗る容易となり、また誤組防止にも有効となって、ミニハウスＨへの組付け作業性が良好となる。
【００４７】
その上、実施形態のロック部材２２の先部２２ａは、ロック部材２２がロック位置２２Ｌにあるときに受け板部Ｐｓのロック孔Ｐｓｈ周縁部に係合可能な横向きの係止爪部２２ａｔを一体に有し、受け板部Ｐｓのロック孔Ｐｓｈ周縁部には、受け板部Ｐｓの表裏何れにも、係止爪部２２ａｔとの間の係合クリアランスを詰めるための支持板３０が固着される。これにより、その係止爪部２２ａｔ（ロック部材２２の先部２２ａ）と受け板部Ｐｓ（隅プレートＰ）との係合クリアランスを支持板３０で詰める（即ちゼロ乃至僅少にする）ことができるため、その係合ガタを低減してミニハウスＨのトレーラＴへの結合強度をより高めることができる。しかも斯かる支持板３０による係合クリアランスの縮小効果は、ミニハウスＨに隅プレートＰの表裏を変更して取付けた場合でも変わらず、有効に発揮可能である。
【００４８】
また実施形態では、隅プレートＰのロック孔Ｐｓｈが長孔に形成されるので、ロック部材２２の先部２２ａが横長に形成されても、これがロック孔Ｐｓｈを無理なく通過可能となる。一方、支持板３０は、ロック孔Ｐｓｈの長手方向に延びる帯板状に形成されていて、受け板部Ｐｓのロック孔Ｐｓｈ周縁部のうち前記長手方向に沿う部位に配置されるため、ロック孔Ｐｓｈが長孔に形成されても、そのロック孔Ｐｓｈの長手方向に延びる帯板状に形成した支持板３０によって、受け板部Ｐｓのロック孔Ｐｓｈ周縁部のうち前記長手方向に沿う部位を効果的に補強可能となる。従って、支持板３０が、上記係合ガタの低減手段と、受け板部Ｐｓのロック孔Ｐｓｈ周縁部に対する補強手段とに兼用でき、それだけ構造簡素化が図られる。
【００４９】
以上、本発明の実施例について説明したが、本発明はそれに限定されることなく、その要旨を逸脱しない範囲で種々の設計変更が可能である。
【００５０】
例えば、前記実施形態では、隅プレートＰが、これをミニハウスＨの下部（下枠１１）に固定すべき固定板部Ｐｋ１，Ｐｋ２を２個有するものを示したが、固定板部は１個又は３個以上であってもよい。
【００５１】
また前記実施形態では、隅プレートＰの受け板部Ｐｓのロック孔Ｐｓｈ周縁部に、ロック部材２２（より具体的には係止爪部２２ａｔ）との間の係合クリアランスを詰めるための支持板３０が固着されるものを示したが、支持板３０の板厚に相当する高さの扁平凸部を、受け板部Ｐｓのロック孔Ｐｓｈ周縁部に一体に形成してもよい。或いはまた、支持板３０又はそれに代わる前記扁平凸部を省略して、受け板部Ｐｓのロック孔Ｐｓｈ周縁部の表裏二面をそれぞれ一様平坦な平面に形成してもよい。
【符号の説明】
【００５２】
Ｃ・・・・・・居住スペース
ＴＨ・・・・・トレーラハウス
Ｔ・・・・・・トレーラ
Ｈ・・・・・・ミニハウス
Ｐ・・・・・・隅プレート
Ｐｋ１，Ｐｋ２・・固定板部としての第１，第２固定板部
Ｐｓ・・・・・受け板部
Ｐｓｈ・・・・ロック孔
１１・・・・・ミニハウスの下部を構成する下枠
１１ｏ・・・・下向き凹部
１８・・・・・空間
２２・・・・・ロック部材
２２ａ・・・・先部
２２ａｔ・・・係止爪部
２２Ｌ，２２ＵＬ・・ロック位置，アンロック位置
３０・・・・・支持板
【要約】
【課題】トレーラと、トレーラ上に搭載された小屋状のミニハウスとよりなり、トレーラには、コンテナ下部に固定の隅金具に係脱可能なロック部材が所定のロック位置とアンロック位置との間を回動操作可能に設けられるトレーラハウスにおいて、ロック部材と係脱可能な隅金具を、コンテナの下部四隅に配備される規格物の隅金具に比べ上下に扁平化して、これの設置のためにミニハウスの下部底面を大きく切欠く必要性をなくし、ミニハウス下部の強度低下を抑制可能とする。
【解決手段】ミニハウスＨの下部四隅に、水平な平板状の隅プレートＰが配置され、各隅プレートＰはミニハウス下部に固着される固定板部Ｐｋ１，Ｐｋ２とロック部材先部２２ａが抜差可能なロック孔Ｐｓｈを有して固定板部に連設される受け板部Ｐｓとを備え、ミニハウスＨの四隅底面に、ロック部材先部２２ａを受容可能な空間１８を受け板部Ｐｓとの間に画成する下向き凹部１１ｏが形成される。
【選択図】  図７【図１】
0006931499.tif 000002
【図２】
0006931499.tif 000003
【図３】
0006931499.tif 000004
【図４】
0006931499.tif 000005
【図５】
0006931499.tif 000006
【図６】
0006931499.tif 000007
【図７】
0006931499.tif 000008
【図８】
0006931499.tif 000009
【図９】
0006931499.tif 000010